(57)【要約】【課題】本発明は熱及び遠赤外線を一方向に集中させながら放射量を増加させ、放射の範囲を広く且つ均一にしてエネルギーの効率及び乾燥効率を向上させられる乾燥機用遠赤外線ヒーターを提供する。【解決手段】乾燥機用遠赤外線ヒーターは、前記乾燥機の内部に装着される胴体と、前記胴体の前方に装着されて熱を放出する発熱体と、前記胴体に装着されて前記発熱体の前方に配置され、前記発熱体から放出された熱とともに遠赤外線を前方に放射する遠赤外線放射板と、から成り、前記遠赤外線放射板には前記遠赤外線放射板を基準に前記発熱体が配置された方向の反対方向の前面に多数の拡散部が形成されることを特徴とする。【選択図】図４
2013138826.tif 000002
【特許請求の範囲】
【請求項１】
乾燥機の内部に装着されて遠赤外線を放出するヒーターにおいて、
前記乾燥機の内部に装着される胴体と、
前記胴体の前方に装着されて熱を放出する発熱体と、
前記胴体に装着されて前記発熱体の前方に配置され、前記発熱体から放出された熱とともに遠赤外線を前方に放射する遠赤外線放射板と、を含んで成り、
前記遠赤外線放射板には前記遠赤外線放射板を基準に前記発熱体が配置された方向の反対方向の前面に多数の拡散部が形成されることを特徴とする乾燥機用遠赤外線ヒーター。
【請求項２】
前記拡散部は前記遠赤外線放射板から前方に凸状に突出形成されたことを特徴とする請求項１に記載の乾燥機用遠赤外線ヒーター。
【請求項３】
前記拡散部は前記遠赤外線放射板から後方に凹状に窪んで形成されたことを特徴とする請求項１に記載の乾燥機用遠赤外線ヒーター。
【請求項４】
前記胴体と発熱体との間に配置される断熱部材をさらに含んで成ることを特徴とする請求項１に記載の乾燥機用遠赤外線ヒーター。
【請求項５】
前記胴体と断熱部材は相互離隔配置されてその間に空きスペースの第１断熱層が形成されたことを特徴とする請求項４に記載の乾燥機用遠赤外線ヒーター。
【請求項６】
前記胴体と断熱部材との間には、前記第１断熱層の周に第１絶縁ブロックが配置されて、前記断熱部材を前記胴体から離隔させて前記第１断熱層を形成することを特徴とする請求項５に記載の乾燥機用遠赤外線ヒーター。
【請求項７】
前記胴体は、前方に前記発熱体が装着され、前記断熱部材との間に前記第１断熱層が形成された第１胴体と、
前方に前記第１胴体が挿入配置された第２胴体と、から成り、
前記第１胴体と第２胴体は相互離隔されてその間に空きスペースの第２断熱層が形成され、
前記遠赤外線放射板は前記第１胴体に装着されて前面が外部に露出され、
前記第２断熱層は前記第１胴体の側面及び後面を覆うことを特徴とする請求項５または請求項６に記載の乾燥機用遠赤外線ヒーター。
【請求項８】
前記第２胴体には前記第２断熱層内部の空気が外気と循環されるよう循環通路が形成されることを特徴とする請求項７に記載の乾燥機用遠赤外線ヒーター。
【請求項９】
前記第１胴体の縁には前方に折り曲げられた後、外側方向に折り曲げられた第１結合片が突出形成され、
前記第２胴体の内側面には内側方向に第２結合片が突出形成され、
前記第１結合片と第２結合片との間には第２絶縁ブロックが配置されて、前記第１胴体を前記第２胴体から離隔させて前記第２断熱層を形成することを特徴とする請求項７に記載の乾燥機用遠赤外線ヒーター。
【発明の詳細な説明】
【技術分野】
【０００１】
本発明は乾燥機用遠赤外線ヒッターであって、乾燥機の内部に装着されて熱及び遠赤外線を放出する乾燥機用遠赤外線ヒーターに関する。
【背景技術】
【０００２】
一般に、乾燥機は洗濯後の濡れた衣類を乾燥させるためのものであって、回転するドラムに高温の空気をガーゼに流入させてドラムに収容された濡れた洗濯物を自動に乾燥させる。
【０００３】
このような乾燥機の乾燥方式としては、ヒーターと送風ファンを介して加熱された空気を乾燥機の内部でのみ強制循環させて洗濯物を乾燥する強制循環方式と、ドラムを通過した熱風を外部に強制排気させる強制排気方式とがある。
【０００４】
下記の特許文献には従来の乾燥機ヒーターが開示されている。
【先行技術文献】
【特許文献】
【０００５】
【特許文献１】大韓民国登録実用新案第２０−０２４６４５３号公報
【０００６】
図１は従来の乾燥機の垂直断面図で、図２は従来の乾燥機に装着されるヒーターの斜視図である。
【０００７】
図１に示されたように、従来の乾燥機はハウジング１０、ドラム１２、熱風案内ダクト１３、熱風排出ダクト１４及び送風ファン１５とから成る。
【０００８】
前記ハウジング１０は前面に扉１１が装着される。
【０００９】
前記扉１１が装着された前記ハウジング１０の前面には洗濯物を前記ドラム１２の内部に投入したり、取り出すためのオープニング１６が形成されている。
【００１０】
前記ドラム１２は前記ハウジング１０の内部に回転可能に設けられる。
【００１１】
具体的に、前記ドラム１２は前記ハウジング１０の底部に設けられたモーター１７によって低速に回転する。
【００１２】
前記熱風案内ダクト１３は、前記ドラム１２の内部へ熱風を案内し、前記熱風排出ダクト１４は前記ドラム１２を通過した熱風を排出する。
【００１３】
前記送風ファン１５は外気を吸い込んで排出させる。
【００１４】
前記熱風案内ダクト１３の上部にはヒーター３０が設けられて前記モーター１７の駆動によって送風ファン１５とドラム１２が回転するにつれて外気が前記ヒーター３０を通過しながら加熱されて前記熱風案内ダクト１３を介して前記ドラム１２に流入される。
【００１５】
従って、前記ドラム１２の内部に投入された濡れた洗濯物はこの熱風によって乾燥される。
【００１６】
前記ヒーター３０は、ヒーターケース３１と前記ヒーターケース３１の内部に設けられる複数のヒーティングコイル３２とから成る。
【００１７】
しかし、従来の乾燥機用ヒーター３０のヒーティングコイル３２は熱の放出方向が特定されておらず、周囲の空気を加熱する構造から成っているので、エネルギー効率は劣る。
【００１８】
また、前記ヒーティングコイル３２によって加熱された熱風のみで濡れた洗濯物を乾燥させるので、この熱風に直接当たる洗濯物の外側部分と熱風が直接当たらない洗濯物の内側部分とを均一に乾燥させ得ないという問題点がある。
【発明の概要】
【発明が解決しようとする課題】
【００１９】
本発明は前述した問題点を解決するために案出されたものであって、熱及び遠赤外線を一方向に集中させながら放射量を増加させ、放射の範囲を広く且つ均一にしてエネルギー効率及び乾燥効率を向上させる乾燥機用遠赤外線ヒーターを提供するところに本発明の目的がある。
【課題を解決するための手段】
【００２０】
前述した目的を達成するために、本発明の乾燥機用遠赤外線ヒーターは、乾燥機の内部に装着される胴体と、前記胴体の前方に装着されて熱を放出する発熱体と、前記胴体に装着されて前記発熱体の前方に配置され、前記発熱体から放出された熱とともに遠赤外線を前方に放射する遠赤外線放射板と、と含んでなり、前記遠赤外線放射板には前記遠赤外線放射板を基準に前記発熱体が配置された方向の反対方向の前面に多数の拡散部が形成される。
【００２１】
前記拡散部は前記遠赤外線を放射板から前方に凸状に突出して形成される。
【００２２】
前記拡散部は前記遠赤外線放射板から後方に凹状に窪んで形成される。
【００２３】
前記胴体と発熱体との間に配置される断熱部材をさらに含んで成る。
【００２４】
前記胴体と断熱部材は相互離隔配置されてその間に空きスペースの第１断熱層が形成される。
【００２５】
前記胴体と断熱部材との間には、前記第１断熱層の周に第１絶縁ブロックが配置されて、前記断熱部材を前記胴体から離隔させて前記第１断熱層を形成する。
【００２６】
前記胴体は、前方に前記発熱体が装着され、前記断熱部材との間に前記第１断熱層が形成された第１胴体と、前方に前記第１胴体が挿入配置された第２胴体と、から成り、前記第１胴体と第２胴体は相互離隔されてその間に空きスペースの第２断熱層が形成され、前記遠赤外線放射板は前記第１胴体に装着されて前面が外部に露出され、前記第２断熱層は前記第１胴体の側面及び後面を覆う。
【００２７】
前記第２胴体には前記第２断熱層内部の空気が外気と循環されるよう循環通路が形成される。
【００２８】
前記第１胴体の縁には前方に折り曲げられた後、外側方向に折り曲げられた第１結合片が突出形成され、前記第２胴体の内側面には内側方向に第２結合片が突出形成され、前記第１結合片と第２結合片との間には第２絶縁ブロックが配置されて、前記第１胴体を前記第２胴体から離隔させて前記第２断熱層を形成する。
【発明の効果】
【００２９】
本発明に係る乾燥機用遠赤外線ヒーターは次のような効果がある。
【００３０】
熱及び遠赤外線を放射する遠赤外線放射板の前面に多数の拡散部が形成されることによって、熱及び赤外線が放射される表面積を増加させて遠赤外線の放射範囲を広く且つ均一にすることができ、遠赤外線の放射量を増加させエネルギー効率及び乾燥効率を向上させることができる。
【００３１】
また、胴体と発熱体との間に断熱部材が配置されることによって、発熱体の後方に放出される熱を遮断して遠赤外線放射板が配置された方向に熱を集中させることができる。
【００３２】
また、胴体と断熱部材との間に第１断熱層が形成されることによって、発熱体の後方に放出された熱が断熱部材によって完全に遮断されなくても第１断熱層から後方に放出された熱を遮断して第１胴体の後方の外部に放出される熱を最少化することができる。
【００３３】
また、胴体と断熱部材との間には第１断熱層の周に第１絶縁ブロックが配置されることによって、第１断熱層を形成しながら第１胴体と断熱部材との接触を遮断して発熱体の後方に放出された熱が断熱部材から第１胴体に伝導されることを最少化することができる。
【００３４】
また、第１胴体と第２胴体との間に第２断熱層が形成されて第１胴体の側面及び後面を覆うことによって、発熱体から後方に放出された熱は断熱部材、第１断熱層及び第２断熱層によって多重に遮断されて発熱体から放出された熱の損失を最少化して乾燥機の乾燥効率を向上させることができる。
【００３５】
また、第２胴体には第２断熱層内部の空気が外気と循環されるよう循環通路が形成されることによって、第２胴体の温度上昇を最少化して第２胴体が装着される乾燥機またはその他外壁の表面が熱によって損傷されることを防止できる。
【図面の簡単な説明】
【００３６】
【図１】従来の衣類乾燥機の垂直断面図である。
【図２】従来の衣類乾燥機に装着されるヒーターの斜視図である。
【図３】本発明の実施の形態に係る乾燥機用遠赤外線ヒーターの正面図である。
【図４】図３のＡ−Ａ線を切取った断面図である。
【図５】本発明の実施の形態に係る乾燥機用遠赤外線ヒーターの分解図である。
【図６】本発明の実施の形態に係る遠赤外線放射板の他の例を示した乾燥機用遠赤外線ヒーターの分解図である。
【図７】本発明の実施の形態に係る乾燥機用遠赤外線ヒーターに対して社団法人大韓民国遠赤外線協会附設の大韓民国遠赤外線応用評価研究院から受けた試験成績書の写真である。
【図８】本発明の実施の形態に係る遠赤外線放射板の遠赤外線放射率に関するグラフである。
【図９】本発明の実施の形態に係る遠赤外線放射板の遠赤外線放射エネルギーに関するグラフである。
【発明を実施するための形態】
【００３７】
以下、本発明の実施の形態を図面に沿ってより詳細に説明する。
【００３８】
図３は本発明の実施の形態に係る乾燥機用遠赤外線ヒーターの正面図で、図４は図３のＡ−Ａ線を切取った断面図、図５は本発明の実施の形態に係る乾燥機用遠赤外線ヒーターの分解図で、図６は本発明の実施の形態に係る遠赤外線放射板の他の例を示した乾燥機用遠赤外線ヒーターの分解図である。
【００３９】
本発明の実施の形態に係る乾燥機用遠赤外線ヒーターは図３ないし図６に示されたように、胴体１００、発熱体１２０、遠赤外線放射板３００及び断熱部材４００とから成る。
【００４０】
前記胴体１００は乾燥機の内部に装着され、第１胴体１１０と第２胴体１２０とから成る。
【００４１】
即ち、前記第１胴体１１０は前記第２胴体１２０に結合され、前記第２胴体１２０は乾燥機の内部に装着される。
【００４２】
前記第１胴体１１０は前方に前記発熱体１２０が装着され、前記発熱体１２０の前方に前記遠赤外線放射板３００が配置され、前記第１胴体１１０と発熱体１２０との間に前記断熱部材４００が配置される。
【００４３】
具体的に図４及び図５に示されたように、前記第１胴体１１０の縁には前方に折り曲げられた後、外側方向に折り曲げられた第１結合片１１１が突出形成されて、前記第１胴体１１０の内部に前記発熱体１２０が配置され、前記第１結合片１１１に前記遠赤外線放射板３００が装着される。
【００４４】
前記発熱体１２０は板状から成り、前記胴体１００の前方に装着されて熱を放出する。
【００４５】
即ち、前記発熱体１２０は前記遠赤外線放射板３００と断熱部材４００との間に配置され、前記胴体１００を介して乾燥機から電源が供給されて前記遠赤外線放射板３００が配置された前方に熱を放出する。
【００４６】
前記遠赤外線放射板３００は板状から成り、前述したように前記第１結合片１１１に装着されて前記発熱体１２０の前方に配置される。
【００４７】
また、前記遠赤外線放射板３００は、前面が外部に露出されて前記発熱体１２０から放出された熱とともに遠赤外線を前方に放射する。
【００４８】
このような前記遠赤外線放射板３００は表面加熱によって遠赤外線を放射する性質のあるセラミック塗装をするのが一般的である。
【００４９】
従って、前記遠赤外線放射板３００は前記発熱体１２０の前方に配置されて前記発熱体１２０が前方に熱を放出することにつれて熱とともに遠赤外線を放射する。
【００５０】
遠赤外線波長は、乾燥対象物の内部から水分を分解及び増発させることによって、殺菌作用とともに乾燥対象物の繊維を損傷することなく乾燥効率を向上させることができる。
【００５１】
また、図４に示されたように、前記遠赤外線放射板３００には前記遠赤外線放射板３００を基準に前記発熱体１２０が配置された方向の反対方向の前面に多数の拡散部３１０が形成される。
【００５２】
前記拡散部３１０は半球状に形成されて前記遠赤外線放射板３００から前方に凸状に突出形成される。
【００５３】
また、図６に示されたように、前記拡散部３１０は前記遠赤外線放射板３００から後方に凹状に窪んで形成されることもできる。
【００５４】
このように、前記拡散部３１０は前記遠赤外線放射板に多数個が細かく形成されることによって、熱及び遠赤外線が放射される表面積を増加させて遠赤外線の放射範囲を広く且つ均一にすることができ、遠赤外線の放射量を増加させエネルギー効率及び乾燥機の乾燥効率を向上させることができる。
【００５５】
前記拡散部３１０は前述した形状に限らず熱及び遠赤外線が放射される表面積を増加させる様々な形状に形成することができる。
【００５６】
一方、前述した前記遠赤外線放射板３００は前記第１結合片１１１に装着されるとき、前記第１結合片１１１との間にシリコンパッキングＰが配置されて前記第１胴体１１０と断熱部材４００との間に形成される第１断熱層１１２を密閉させる。
【００５７】
即ち、前記第１結合片１１１と遠赤外線放射板３００との間には前記シリコンパッキングＰが配置されて前記遠赤外線放射板３００が前記第１結合片１１１に装着されると、前記発熱体１２０と断熱部材が前記遠赤外線放射体によって密閉された前記第１胴体１１０の内部に配置される。
【００５８】
これによって、乾燥機の内部に前記胴体１００が装着されても、前記発熱体１２０と断熱部材４００は内部が密閉された前記第１胴体１１０に挿入配置されているので、高温・高湿の環境で使用しても漏電や漏湿を防止することができ、これによる内部の腐蝕を防止することができる。
【００５９】
前記断熱部材４００は、セラミック素材から成り、前記胴体１００と発熱体１２０との間に配置されて前記第１胴体１１０の内部に挿入される。
【００６０】
前記断熱部材４００は前記発熱体１２０から後方に放出される熱を遮断して前記遠赤外線放射板３００が配置された前方に熱を集中させる。
【００６１】
また、図４に示されたように、前記胴体１００と断熱部材４００は前記第１絶縁ブロック１１３によって相互離隔配置されて、その間に前記第１断熱層１１２が形成される。
【００６２】
即ち、前記第１絶縁ブロック１１３は前記第１断熱層１１２の周に配置されて、前記断熱部材４００を前記第１胴体１１０から離隔させて前記第１断熱層１１２を形成する。
【００６３】
前記第１断熱層１１２は空気で詰められているので、前記断熱部材４００によって遮断されず後方に伝導された熱をもう一度遮断する。
【００６４】
これによって、前記発熱体１２０から前記断熱部材４００の後方に伝達された熱が前記第１胴体１１０の後方に放出されることを最少化する。
【００６５】
前記第１断熱層１１２は後方への熱遮断効果を極大化するために真空形成することもできる。
【００６６】
また、前記第１絶縁ブロック１１３は、前記第１胴体１１０と断熱部材４００との間に配置されることによって、前記第１胴体１１０と断熱部材４００の接触を遮断して前記発熱体１２０の後方に放出された熱が前記断熱部材４００から第１胴体１１０に伝導されることを最少化することができる。
【００６７】
これによって、前記発熱体１２０の後方に放出された熱が前記断熱部材３００によって完全に遮断されなくても、前記第１断熱層１１２から後方に放出された熱を遮断して前記第１胴体１１０の後方の外部に放出される熱を最少化することができる。
【００６８】
前記第２胴体１２０は前方に前記第１胴体１１０が挿入配置され、前記乾燥機の内部に装着される。
【００６９】
前記第１胴体１１０と第２胴体１２０とは相互離隔されてその間に空きスペースの第２断熱層１２２が形成される。
【００７０】
具体的に、図２に示されたように、前記第２胴体１２０の内側面には内側方向に第２結合片１２１が突出形成され、前記第１結合片１１１と第２結合片１２１との間には第２絶縁ブロック１２３が配置されて、前記第１胴体を前記第２胴体１２０から離隔させて前記第２断熱層１２２を形成する。
【００７１】
前記第２断熱層１２２は空気で詰められているので、熱が前記第１胴体１１０から第２胴体１２０に伝達されることを最少化する。
【００７２】
このような前記第２断熱層１２２は、前記第２胴体１２０の内部に前記第１胴体１１０が挿入配置されるにつれて前記第１胴体１１０の側面及び後面を覆う。
【００７３】
これによって前記遠赤外線放射板３００が装着された前記第１胴体１１０の前方を除外し前記第１胴体１１０の側面及び後方に伝達された熱が外部に放出されることを最少化することができる。
【００７４】
また、前記第２絶縁ブロック１２３は前記第１胴体１１０と第２胴体１２０との間に配置されることによって、前記第１胴体１１０と第２胴体１２０との接触を遮断して前記第１胴体１１０から第２胴体１２０に熱が伝導されることを最少化することができる。
【００７５】
また、前記第２胴体１２０には前記第２断熱層１２２内部の空気が外気と循環されるよう循環通路１２４が形成される。
【００７６】
前記循環通路１２４は前記第２断熱層１２２が外部と連通されるよう形成され、前記第２断熱層１２２内部の空気の温度が上昇すれば、外気と循環されるようにして前記胴体１００の温度が上昇することを防止する。
【００７７】
前述したように前記発熱体１２０から後方に放出された熱は前記断熱部材４００、第１断熱層１１２及び第２断熱層１２２によって多重に遮断されて前記第２胴体１２０の温度上昇を最少化することによって、前記第２胴体１２０が装着される乾燥機またはその他外壁の表面が熱によって損傷されるのを防止することができ、前記発熱体１２０から放出された熱の損失を最少化して乾燥機の乾燥効率を向上させることができる。
【００７８】
図７は本発明の実施の形態に係る乾燥機用遠赤外線ヒーターに対して社団法人大韓民国遠赤外線協会附設の大韓民国遠赤外線応用評価研究院から受けた試験成績書の写真で、図８は本発明の実施の形態に係る遠赤外線放射板の遠赤外線放射率に関するグラフ、図９は本発明の実施の形態に係る遠赤外線放射板の遠赤外線放射エネルギーに関するグラフである。
【００７９】
図７は社団法人大韓民国遠赤外線協会附設の大韓民国遠赤外線応用評価研究院に依頼して行なった遠赤外線放射試験の結果表である。
【００８０】
図７に示されているように、実験は１３０℃で行なわれ、前記発熱体１２０と遠赤外線放射板３００を含んで成った本試験対象構造と比較対象であるブラックボディ（Ｂｌａｃｋ  Ｂｏｄｙ）を対比した試験測定結果である。
【００８１】
試験の結果、放射率は図７または図８に示されているように０．８５９、放射エネルギーは図７または図９に示されているように１０１０Ｗ／ｍ２μｍ程度であって、比較対象のブラックボディと対比してみるとき、その放射性能が大いに劣らない優れた性能を持つことが分かる。
【００８２】
本発明の乾燥機用遠赤外線ヒーターは前述した実施の形態に局限されず、本発明の技術思想が許される範囲内で様々に変形して実施することができる。
【符号の説明】
【００８３】
１００      胴体
１１０      第１胴体
１１１      第１結合片
１１２      第１断熱層
１１３      第１絶縁ブロック
１２０      第２胴体
１２１      第２結合片
１２２      第２断熱層
１２３      第２絶縁ブロック
１２４      循環通路
２００      発熱体
３００      遠赤外線放射板
３１０      拡散部
４００      断熱部材
【図１】
2013138826.tif 000003
【図２】
2013138826.tif 000004
【図３】
2013138826.tif 000005
【図４】
2013138826.tif 000006
【図５】
2013138826.tif 000007
【図６】
2013138826.tif 000008
【図７】
2013138826.tif 000009
【図８】
2013138826.tif 000010
【図９】
2013138826.tif 000011